(57)【要約】【課題】工具を用いることなく締め付け可能で、且つ、締め付けトルクを管理可能にする。【解決手段】ハンドル１は、ナット１６に締め付けられるねじ部１Ａと、ユーザの手でねじ部１Ａを締め付け可能にする形状を有するユーザ操作部１Ｂと、締め付けトルクを管理可能な工具でねじ部１Ａを締め付け可能にする形状を有する工具操作部１Ｃとを備えている。【選択図】図２
2018204757.tif 000002
【特許請求の範囲】
【請求項１】
被締結部材に締め付けられるねじ部と、
ユーザの手で前記ねじ部を締め付け可能にする形状を有するユーザ操作部と、
締め付けトルクを管理可能な工具で前記ねじ部を締め付け可能にする形状を有する工具操作部と、
を備えることを特徴とするハンドル。
【請求項２】
前記ユーザ操作部は、前記ねじ部の軸線から離間し、
前記工具操作部は、前記ねじ部と前記ユーザ操作部の間、かつ、前記ねじ部と同軸上に設けられることを特徴とする請求項１に記載のハンドル。
【請求項３】
前記工具操作部は、前記ねじ部の軸線を中心とする多角柱形状であることを特徴とする請求項１または２に記載のハンドル。
【請求項４】
前記ユーザ操作部と、前記工具操作部とは、略くの字状に形成されていることを特徴とする請求項１から３のいずれか一項に記載のハンドル。
【請求項５】
前記ユーザ操作部の先端には、張り出し部が形成されていることを特徴とする請求項１から４のいずれか一項に記載のハンドル。
【請求項６】
前記張り出し部の径は、前記工具操作部の径よりも小径であることを特徴とする請求項５に記載のハンドル。
【請求項７】
前記被締結部材は、照明器具本体を回動自在に支持するアームの内側に配置される被締結部品であり、
前記ハンドルは、前記ユーザ操作部と前記工具操作部とを前記アームの外側に露出させた状態で前記アームを貫通して前記被締結部材に締結され、前記アームと前記被締結部品との間に、前記照明器具に固定された固定部材を挟持することによって前記アームに対する前記照明器具の向きを固定することを特徴とする請求項１から６のいずれか一項に記載のハンドル。
【発明の詳細な説明】
【技術分野】
【０００１】
本発明は、所定部材に締め付けられるハンドルに関する。
【背景技術】
【０００２】
投光器には、ハンドルを緩めることにより、灯体がアーム部に対して回動可能となり、灯体からの光照射方向を調整可能にする構成が知られている（例えば、特許文献１参照）。このハンドルは、ユーザが手で操作することによって緩めたり、締めたりすることができる。
また、従来、穴付きボルトを六角棒スパナで締め付ける場合に、六角棒スパナに六角柱体を挿入し、この六角柱体を一般のスパナで強いトルクで回す技術が知られている（例えば、特許文献２参照）。
【先行技術文献】
【特許文献】
【０００３】
【特許文献１】特開２０１６−１６２５９７号公報
【特許文献２】特開平７−１３４６号公報
【発明の概要】
【発明が解決しようとする課題】
【０００４】
ところで、投光器の各部の締め付けトルクを管理したい要望があった場合、手で操作するハンドルについては、締め付けトルクを管理することが難しかった。
締め付けトルクを管理する場合、ハンドルを、特許文献２の技術を用いるとともに、一般のスパナに代えてトルクレンチを用いることが考えられる。しかし、特許文献２の技術では穴付きボルト及び六角棒スパナを用いるので、作業の複雑化などを招く。また、六角柱体を取り付ける位置によっては手でハンドルを操作することが難しくなる。
そこで、本発明は、工具を用いることなく締め付け可能で、且つ、締め付けトルクを管理可能にすることを目的とする。
【課題を解決するための手段】
【０００５】
本発明のハンドルは、被締結部材に締め付けられるねじ部と、ユーザの手で前記ねじ部を締め付け可能にする形状を有するユーザ操作部と、締め付けトルクを管理可能な工具で前記ねじ部を締め付け可能にする形状を有する工具操作部と、を備えることを特徴とする。
【０００６】
本発明は、上記ハンドルにおいて、前記ユーザ操作部は、前記ねじ部の軸線から離間し、前記工具操作部は、前記ねじ部と前記ユーザ操作部の間、かつ、前記ねじ部と同軸上に設けられることを特徴とする。
【０００７】
本発明は、上記ハンドルにおいて、前記工具操作部は、前記ねじ部の軸線を中心とする多角柱形状であることを特徴とする。
【０００８】
本発明は、上記ハンドルにおいて、前記ユーザ操作部と、前記工具操作部とは、略くの字状に形成されていることを特徴とする。
【０００９】
本発明は、上記ハンドルにおいて、前記ユーザ操作部の先端には張り出し部が形成されていることを特徴とする。
【００１０】
本発明は、上記ハンドルにおいて、前記張り出し部の径は、前記工具操作部の径よりも小径であることを特徴とする。
【００１１】
本発明は、上記ハンドルにおいて、前記被締結部材は、照明器具本体を回動自在に支持するアームの内側に配置される被締結部品であり、前記ハンドルは、前記ユーザ操作部と前記工具操作部とを前記アームの外側に露出させた状態で前記アームを貫通して前記被締結部材に締結され、前記アームと前記被締結部品との間に、前記照明器具に固定された固定部材を挟持することによって前記アームに対する前記照明器具の向きを固定することを特徴とする。
【発明の効果】
【００１２】
本発明のハンドルによれば、工具を用いることなく締め付け可能で、且つ、締め付けトルクを管理可能になる。
【図面の簡単な説明】
【００１３】
【図１】本発明の実施形態に係るハンドルを使用した投光器を示す図である。
【図２】投光器本体と左側のアームとの連結構造の分解斜視図である。
【図３】投光器本体と左側のアームとの連結構造を背面側から見た図である。
【図４】図３のＩＶ−ＩＶ断面図である。
【図５】（Ａ）はハンドルを示す図、（Ｂ）は（Ａ）のハンドルを下側から見た図である。
【発明を実施するための形態】
【００１４】
以下、図面を参照して本発明の実施形態について説明する。
図１は、本発明の実施形態に係るハンドル１を使用した投光器５０を示す図である。
投光器５０は、照明器具の一種であり、光を照射する照明器具本体を構成する投光器本体２と、投光器本体２の上下方向の向き（以下、取付角度と言う）を調整可能に投光器本体２に回動自在に連結されるアーム４と、投光器本体２の取付角度を固定するために用いられるハンドル１とを備えている。この投光器５０は、駐車場や壁面などの屋外、あるいは屋内の投光照明に用いられる照明器具である。
【００１５】
投光器本体２は、反射鏡ユニット２Ａと、反射鏡ユニット２Ａの背面に接続される光源ユニット２Ｂとを備えている。なお、本説明において、背面側などの各方向は、投光器５０を基準にした各方向である。
反射鏡ユニット２Ａは、光源ユニット２Ｂから放射された光を、投光器５０の正面（投光器本体２の正面と一致）に向けて反射するユニットである。光源ユニット２Ｂは、ＬＥＤなどの発光素子を光源として放射光を放射するユニットである。なお、光源は発光素子に限定されない。
【００１６】
投光器５０には、投光器本体２から左右外側に張り出す一対の結合片６が設けられている。一対の結合片６の内、一方の結合片６には、目盛板８が取り付けられている。目盛板８が設けられた側は、投光器５０の正面から見て左側であるので、本説明では左側と表記する。
アーム４は、折曲してＵ字状に成形された板状部材であり、ボルトなどによって設置面に固定される板状の固定部４Ａと、固定部４Ａの両側から上方に延出して一方の結合片６に連結される一対の支持部４Ｂとを一体に備えている。
【００１７】
図２は、投光器本体２と左側のアーム４との連結構造の分解斜視図である。
左側の結合片６には、外側から目盛板８、及びアーム４の支持部４Ｂの順に固定される。
結合片６には、左右方向に延びる結合孔６Ａと、結合孔６Ａを上下から挟み込むように配置された一対の突出部６Ｂとが設けられる。結合孔６Ａは、ボルト１０（締結部材）が締結される雌ねじに形成されている。また、一対の突出部６Ｂは、左右外側に突出する円柱状に形成されている。なお、本実施形態ではボルト１０は、ねじ径が１０ｍｍの六角ボルトである。
目盛板８は、結合孔６Ａに連通する貫通孔である目盛板挿通孔８Ａと、結合片６の一対の突出部６Ｂが係合する貫通孔である一対の係合孔８Ｂとを有している。
【００１８】
支持部４Ｂには、ボルト１０が貫通する貫通孔である支持部挿通孔４Ｃが設けられている。より具体的には、この支持部挿通孔４Ｃには、円筒形状のスリーブ１２が挿入され、このスリーブ１２内をボルト１０が貫通する。
支持部４Ｂを貫通したボルト１０は、目盛板８の目盛板挿通孔８Ａを通り、結合片６の結合孔６Ａに締結される。これによって、支持部４Ｂを有するアーム４が、ボルト１０を基準にして回動自在に、結合片６に連結される。
【００１９】
目盛板８は、周縁が立設した断面凹状（皿状）の円板型に形成され、凹面を支持部４Ｂ側に向けて配置される。目盛板８の凹面には、目盛板挿通孔８Ａを中心として、上方を０度とし、この両側のそれぞれ９０度の範囲までの角度を示す目盛８Ｃが設けられる。
目盛板８の凹面側に配置される支持部４Ｂには、目盛８Ｃにおける投光器本体２の取付角度に相当する角度位置を指し示す指示印４Ｄが設けられる。この指示印４Ｄと目盛８Ｃとによって、各種作業やメンテナンスを行うユーザが、投光器本体２の取付角度を確認することができる。
なお、投光器本体２と右側のアーム４との連結構造は、目盛板８を備えず、且つ、目盛板８の固定に使用する一対の突出部６Ｂなどを備えない点を除いて同じ構造である。但し、投光器本体２と右側のアーム４との間に目盛板８を設けてもよい。
【００２０】
図２に示すように、アーム４の支持部４Ｂには、支持部挿通孔４Ｃから離間した位置に、貫通孔であるハンドル挿通孔４Ｅが設けられている。ハンドル挿通孔４Ｅには、ハンドル１の一端に設けられたねじ部１Ａが挿通される。ハンドル１のねじ部１Ａは、平座金１８、及びばね座金２０を通って、ハンドル挿通孔４Ｅに挿入される。
ここで、図３は、投光器本体２と左側のアーム４との連結構造を背面側から見た図である。また、図４は、図３のＩＶ−ＩＶ断面図である。
ハンドル１のねじ部１Ａは、平座金１８、及びばね座金２０を通って、ハンドル挿通孔４Ｅに挿入されることによって、図３及び図４に示すように、アーム４の支持部４Ｂと、ハンドル１に設けられた後述する工具操作部１Ｃとの間に、平座金１８、及びばね座金２０が配置される。
【００２１】
図２〜図４に示すように、目盛板８を挟んで支持部４Ｂの反対側には、支持部４Ｂと協働して目盛板８を挟持する挟持部材１４が設けられる。
挟持部材１４は、支持部４Ｂに対向する板状の対向部１４Ｐと、対向部１４Ｐの上下縁から、支持部４Ｂと反対側に屈曲する上下一対の板部１４Ｕ、１４Ｌとを一体に有している。
対向部１４Ｐは、ハンドル１のねじ部１Ａが貫通するねじ部挿通孔１４Ａを備える。ねじ部１Ａは、支持部４Ｂの支持部挿通孔４Ｃに挿通されるので、支持部挿通孔４Ｃと、対向部１４Ｐのねじ部挿通孔１４Ａとが同軸上に並ぶ。挟持部材１４のねじ部挿通孔１４Ａを貫通したねじ部１Ａには、被締結部材（被締結部品）として機能するナット１６が締結される。
【００２２】
ナット１６は、挟持部材１４の上下一対の板部１４Ｕ、１４Ｌに配置され、板部１４Ｕ、１４Ｌによって自由回転が規制される。このため、ハンドル１が回転操作されることによって、ハンドル１のねじ部１Ａをナット１６に対して締めたり、緩めたりすることができる。なお、ナット１６は、内径が１０ｍｍの六角ナットである。
また、挟持部材１４は、支持部４Ｂに設けられた貫通孔である保持孔４Ｆに係合する爪部１４Ｔ（図２参照）を有する。この挟持部材１４は、例えば、金属板を折り曲げて形成される。
【００２３】
本構成では、挟持部材１４の爪部１４Ｔが保持孔４Ｆに係合し、且つ、支持部挿通孔４Ｃにハンドル１のねじ部１Ａが挿通された状態では、挟持部材１４における爪部１４Ｔに対して反対側の端部１４Ｂが、目盛板８と左右方向で重なる。したがって、ハンドル１をナット１６に締結する締結量を増やすことによって、挟持部材１４の端部１４Ｂと支持部４Ｂとによって目盛板８が挟持される。なお、この端部１４Ｂには、目盛板８側に突出する２つの突出部１４Ｃが設けられ、これら突出部１４Ｃと支持部４Ｂとによって目盛板８が局所的に挟持される。
【００２４】
目盛板８は投光器本体２に固定されるので、ハンドル１によって目盛板８と支持部４Ｂとが固定されることによって、投光器本体２の取付角度が固定される。したがって、ハンドル１がナット１６に対して緩める側に回転操作されると、投光器本体２の取付角度が変更自在となり、ハンドル１がナット１６に対して締結する側に回転操作されると、投光器本体２の取付角度が固定される。
【００２５】
図５（Ａ）は、ハンドル１を示す図であり、図５（Ｂ）は、図５（Ａ）のハンドル１を下側から見た図である。
ハンドル１は、鍛造によって一体成形された鍛造部品である。このハンドル１は、ねじ部１Ａと、ユーザ操作部１Ｂと、工具操作部１Ｃとを一体に備えた略くの字状（Ｖ字状とも称する）に屈曲する真円断面の棒形状に形成されている。また、ハンドル１を鍛造以外の方法によって形成してもよい。なお、図５（Ａ）及び図５（Ｂ）において、ハンドル１の中心を通る軸線を、符号Ｍを付して示している。
【００２６】
ねじ部１Ａは、ハンドル１の一方の端部に設けられ、ナット１６に締結可能な雄ねじに形成される。本構成のねじ部１Ａの径αは１０ｍｍである。
ユーザ操作部１Ｂは、屈曲箇所である屈曲部１Ｄを挟んでハンドル１の他方側に設けられる。ユーザ操作部１Ｂの径βは、ユーザが手で把持し易い値とされ、例えば１０ｍｍ程度に形成される。また、ユーザ操作部１Ｂの長さは、ユーザが手で把持し易い長さであって、屈曲部１Ｄからハンドル１の一方（ねじ部１Ａ側）の端部までの長さよりも長い値とされる。
【００２７】
ユーザ操作部１Ｂは、ねじ部１Ａに対して所定の傾斜角度θ１で傾斜する。この傾斜角度θ１は、９０度以上（本実施形態では１２０度）に設定され、ねじ部１Ａから径方向外側に離れるほど、アーム４（支持部４Ｂ）からの離間距離Ｌ１が長くなる。したがって、ユーザは、ねじ部１Ａから径方向外側に離れた位置、且つ、アーム４から離れた位置でユーザ操作部１Ｂを把持し易くなり、ハンドル１を軽い力で回転操作させ易くなる。
【００２８】
また、ユーザ操作部１Ｂの先端には、ユーザ操作部１Ｂの径方向外側に張り出す張り出し部１Ｅが設けられる。この張り出し部１Ｅは、ユーザの手をユーザ操作部１Ｂから抜け難くする抜け止め部として機能する。なお、張り出し部１Ｅは、ユーザ操作部１Ｂの径βよりも大径の径γを有する球状に形成されているが、この形状に限定しなくてもよい。
張り出し部１Ｅの径γは工具操作部１Ｃの幅Ｌ３よりも小さく形成されるほうが良い。投光器本体２を高所に設置する場合、工具を落下させるおそれがあることから、工具操作部１Ｃの締め付けトルク管理をメガネレンチで行うことがある。このとき、仮に、張り出し部１Ｅの径γが工具操作部１Ｃの径よりも大きいとメガネレンチをハンドル１に通すことができなくなるからである。
【００２９】
工具操作部１Ｃは、ねじ部１Ａとユーザ操作部１Ｂの間、かつ、ねじ部１Ａと同軸上に設けられる。この工具操作部１Ｃは、六角レンチと同じ先端形状を有するトルクレンチで回転操作可能な六角柱形状に形成される。トルクレンチによって工具操作部１Ｃを回転操作することによって、工具操作部１Ｃと同軸のねじ部１Ａを回転操作でき、ねじ部１Ａの締め付けトルクを管理できる。
【００３０】
より具体的には、工具操作部１Ｃは、ねじ部１Ａと屈曲部１Ｄとの間であって、ねじ部１Ａの基端に隣接する位置に設けられる。工具操作部１Ｃの六角形の中心は、ねじ部１Ａの軸線Ｍ上に位置する。また、工具操作部１Ｃの厚さＬ２及び幅Ｌ３は、六角ボルトの頭部と同形状に形成され、例えば、日本工業規格などの所定の規格に従った六角ボルトのうち、ねじ部１Ａと同径のねじ部を有する六角ボルトの頭部と同形状に形成される。
【００３１】
なお、工具操作部１Ｃの形状は、六角ボルトの規格に従った六角柱形状に限定しなくてもよく、トルクレンチで操作可能な形状であればよく、例えば、六角柱形状に限定されない多角柱形状でもよい。また、工具操作部１Ｃを操作する工具についても、締め付けトルクを管理可能な工具を広く適用でき、工具に合わせて工具操作部１Ｃの形状を適宜に変更してもよい。
【００３２】
以上説明したように、本実施形態のハンドル１は、ナット１６（被締結部材）に締め付けられるねじ部１Ａと、ユーザの手でねじ部１Ａを締め付け可能にする形状を有するユーザ操作部１Ｂと、締め付けトルクを管理可能な工具でねじ部１Ａを締め付け可能にする形状を有する工具操作部１Ｃとを備えている。この構成により、ユーザは、手でねじ部１Ａを締め付けたり、工具を用いて締め付けトルクを管理しながらねじ部１Ａを締め付けたりすることが可能になる。
【００３３】
また、ユーザ操作部１Ｂは、ねじ部１Ａの軸線Ｍから離間し、工具操作部１Ｃは、ねじ部１Ａとユーザ操作部１Ｂの間、かつ、ねじ部１Ａと同軸上に設けられる。この構成によれば、手でハンドル操作する場合は軽い力で操作でき、工具でハンドル操作する場合はねじ部１Ａに近い位置で操作でき、各操作をし易くなる。
【００３４】
また、ユーザ操作部１Ｂと工具操作部１Ｃとは略くの字状に形成されているので、工具操作部１Ｃから径方向外側に離れた位置、且つ、工具操作部１Ｃを挟んでユーザ操作部１Ｂと反対側に配置されるねじ部１Ａが締結される締結側の部材（アーム４の支持部４Ｂ）から離れた位置でユーザ操作部１Ｂを把持し易くなり、ハンドル１を軽い力で操作し易くなる。
【００３５】
また、工具操作部１Ｃと、ねじ部１Ａが締結される締結側の部材（アーム４の支持部４Ｂ）との間には、ばね座金２０及び平座金１８が配置される。これら座金２０、１８は、工具操作部１Ｃと支持部４Ｂとの間の緩衝部材となるので、工具操作部１Ｃと支持部４Ｂとが直接接触する場合と比べて、各部材の摩耗を抑制できる。また、ばね座金２０によって、ねじ部１Ａのゆるみ、つまり、ハンドル１のゆるみを抑制可能である。
【００３６】
また、工具操作部１Ｃは、ねじ部１Ａの軸線Ｍを中心とする六角柱形状であるので、広く流通するトルクレンチを用いて工具操作部１Ｃを回転操作できる。
【００３７】
また、ユーザ操作部１Ｂの先端には、ユーザ操作部１Ｂの径方向外側に張り出す張り出し部１Ｅが形成されているので、ユーザがハンドル１を回転操作する場合に、ユーザの手がユーザ操作部１Ｂから抜け出すことを抑制できる。
【００３８】
また、張り出し部１Ｅの径γは、工具操作部１Ｃの幅Ｌ３よりも小径であるので、工具操作部１Ｃの幅Ｌ３に対応するメガネレンチをハンドル１に通すことができる。これにより、工具操作部１Ｃの締め付けトルク管理をメガネレンチで行うことが可能である。
【００３９】
しかも、本構成では、ハンドル１のねじ部１Ａが、投光器本体２を回動自在に支持するアーム４の内側に配置されるナット１６に締結される構成である。そして、ハンドル１は、ユーザ操作部１Ｂと工具操作部１Ｃとをアーム４の外側に露出させた状態でアーム４を貫通してナット１６に締結され、アーム４とナット１６との間に、投光器本体２に固定された固定部材である目盛板８を挟持することによって投光器本体２の取付角度を固定する。
この構成によれば、ユーザ操作部１Ｂと工具操作部１Ｃとがアーム４の外側に露出するので、ユーザの手又は工具のいずれでもハンドル１を容易に操作でき、取付角度の微調整、及び締め付けトルクの管理などの各種作業に優れた投光器５０を提供可能である。
【００４０】
なお、上述した実施形態は、あくまでも本発明の一態様の例示であり、本発明の要旨の範囲において任意に変形、及び応用が可能である。
例えば、ハンドル１の形状を適宜に変更してもよい。また、ユーザ操作部１Ｂを、ユーザの手でねじ部１Ａを締め付け可能にする形状を有する範囲で適宜に変更してもよい。また、工具操作部１Ｃを、締め付けトルクを管理可能な工具でねじ部１Ａを締め付け可能にする形状を有する範囲で適宜に変更してもよい。
また、上述した実施形態では、アーム４とナット１６との間に、投光器本体２に固定された目盛板８を挟持する場合を説明したが、目盛板８に限定しなくてもよく、ハンドル１に関わる機構、部品及び形状などを適宜に変更してもよい。
【００４１】
また、上述した実施形態では、投光器５０のハンドル１に本発明を適用する場合を説明したが、これに限定されない。例えば、投光器５０のハンドル１に関わる構成と類似する構成を具備する範囲で、投光器５０に限定されない照明器具、及び照明器具に限定されない他の装置において、所定の部材の取付角度を調整するハンドルに本発明を適用することも可能である。
【符号の説明】
【００４２】
１  ハンドル
１Ａ  ねじ部
１Ｂ  ユーザ操作部（ユーザ把持部）
１Ｃ  工具操作部
１Ｄ  屈曲部
１Ｅ  張り出し部
２  投光器本体（照明器具本体）
４  アーム
４Ｂ  支持部
８  目盛板
１６  ナット（被締結部材、被締結部品）
１８  平座金
２０  ばね座金
５０  投光器（照明器具）
Ｍ  軸線
【図１】
2018204757.tif 000003
【図２】
2018204757.tif 000004
【図３】
2018204757.tif 000005
【図４】
2018204757.tif 000006
【図５】
2018204757.tif 000007